(57)【特許請求の範囲】
【請求項１】
筐体と、前記筐体に組込まれた光源と、前記光源からの光を反射する鏡体とを有する照明機構部からなる医療用照明装置であって、
物体の動きを検出するモーション検出部と、
前記モーション検出部によって検出された物体の動きに基づいて、前記照明機構部の照明動作を制御する照明制御部と、
を備え、
前記モーション検出部は、前記筐体、または、前記医療用照明装置を取り付ける可動アーム部に設けられ、少なくとも二次元以上の物体の動きを非接触で検出するとともに、複数の検知ポイントに対する物体の近接状況に応じて物体の動きを検出し、
前記照明制御部は、
前記モーション検出部によって検出された物体の動きの移動の方向に対応づけられた、前記照明機構部の発光に関する照明動作を特定する照明動作特定部と、
前記照明動作特定部による特定結果に基づいて前記発光に関する照明動作を制御する照明動作制御部と、
を有する、医療用照明装置。
【請求項２】
請求項１記載の医療用照明装置であって、
前記モーション検出部が一つだけ設けられている、医療用照明装置。
【請求項３】
請求項１又は請求項２記載の医療用照明装置であって、
前記照明制御部は、前記モーション検出部によって検出された物体の動きに基づいて、前記光源の点灯動作及び消灯動作に加えて、前記光源の光量調整動作及び照射モードの切替動作のうちの少なくとも一つの動作を含む動作制御を行う、医療用照明装置。
【請求項４】
請求項１〜請求項３のいずれか１項に記載の医療用照明装置であって、
前記照明制御部は、
物体の動きパターンと前記照明機構部の照明動作とを対応づけた照明動作判別用データを記憶した記憶部、をさらに備え、
前記照明動作特定部は、前記モーション検出部によって検出された物体の動きと前記照明動作判別用データとに基づいて、前記照明機構部の照明動作を特定する、医療用照明装置。
【請求項５】
請求項１〜請求項４のいずれか１項に記載の医療用照明装置であって、
前記モーション検出部は、赤外線近接センサ、超音波センサ、静電容量型近接センサのうちの一種で構成されている、医療用照明装置。
【請求項６】
請求項１〜請求項５のいずれか１項に記載の医療用照明装置であって、
前記照明制御部は、前記モーション検出部によって検出された物体の動きに基づいて、多段階で前記光源の光量調整動作を制御する、医療用照明装置。
【請求項７】
請求項１〜請求項６のいずれか１項に記載の医療用照明装置であって、
前記照明制御部は、前記モーション検出部によって検出された物体の動きに基づいて、前記照明機構部を、通常照射モードと光重合材料の使用に適したレジンモードとに切替制御する、医療用照明装置。
【請求項８】
請求項１〜請求項７のいずれか１項に記載の医療用照明装置であって、
前記光源と前記鏡体とが照明モジュールとして一体化され、前記照明モジュールが前記筐体に対して着脱交換可能に構成されている、医療用照明装置。
【請求項９】
請求項１〜請求項８のいずれか１項に記載の医療用照明装置であって、
照明対象を撮像可能な撮像装置をさらに備える医療用照明装置。
【請求項１０】
患者を支える椅子と、
請求項１〜請求項９のいずれか１項に記載の医療用照明装置と、
を備える医療用診断装置。
【発明の詳細な説明】
【技術分野】
【０００１】
この発明は、医療用の照明装置、特に、医療行為中の照明に適した照明装置に関する。
【背景技術】
【０００２】
従来、この種の照明装置として、特許文献１〜４に開示のものがある。
【０００３】
特許文献１は、ライトの点灯／消灯及び照度調整を、タッチレススイッチ等の非接触スイッチによって行う旨開示している。
【０００４】
特許文献２は、非接触センサが操作者の手等を検出する時間に応じて、デンタルライトのオンオフと、照度切替とを行う旨開示している。
【０００５】
特許文献３は、治療用照明灯を点灯、消灯する手段として、次の３つの開示している。一つ目は、イメージセンサにより検出される物体の形状に応じて治療用照明灯を点灯、消灯する構成である。２つめは、例えば、ホットセンサとサーモセンサとの組合わせのように、物体の有無及び該物体の少なくとも一つの特徴量を検出する検出手段を設け、その検出結果に応じて治療用照明灯を点灯、消灯する構成である。３つ目は、２つの非接触センサを設け、その２つのセンサ間を所定時間内に物体が通過した時に、治療用照明灯を点灯、消灯する構成である。
【０００６】
特許文献４は、所定周波数で変化する赤外線光を発する発光器と、受光した光に応じて変化する信号を出力する受光器とを有するフォトカプラを用い、前記発光器からの光が操作者の手等で反射されて、所定周期で変化する赤外線光の受光が検知されたときに、光源を点灯、消灯する構成を開示している。
【先行技術文献】
【特許文献】
【０００７】
【特許文献１】特開２００８−９３２１６号公報
【特許文献２】特開２００３−２９０２４９号公報
【特許文献３】特開平７−１４４０３号公報
【特許文献４】実公平７−１１２５号公報
【発明の概要】
【発明が解決しようとする課題】
【０００８】
しかしながら、上記特許文献１〜４に開示の技術では、物体の有無、或は、物体の形状等に基づいて、照明装置を制御する構成であるため、操作者が入力可能な指令内容は、限定されたものとなっていた。
【０００９】
例えば、医療用の照明装置については、光源の点灯、消灯の他に、照度の調整、照射モードの切替等が必要となる。しかしながら、上記特許文献１〜４に開示の技術では、多様な指示を受付けるためのヒューマンマシンインターフェースとして構成することは困難であった。
【００１０】
また、特許文献２では、操作者の手等を検出する時間に応じて、デンタルライトのオンオフと、照度切替とを行うため、多様な指示を受付け可能とすると、指示に要する時間が長くなってしまう。
【００１１】
そこで、本発明は、照明を制御するための多様な指示を受付けることができ、かつ、その多様な指示をなるべく短時間で行えるようにすることを目的とする。
【課題を解決するための手段】
【００１２】
上記課題を解決するため、第１の態様に係る医療用照明装置は、筐体と前記筐体に組込まれた光源と前記光源からの光を反射する鏡体とを有する照明機構部からなる医療用照明装置であって、物体の動きを検出するモーション検出部と、前記モーション検出部によって検出された物体の動きに基づいて、前記照明機構部の照明動作を制御する照明制御部とを備え、前記モーション検出部は、前記筐体、または、前記医療用照明装置を取り付ける可動アーム部に設けられ、少なくとも二次元以上の物体の動きを非接触で検出するとともに、複数の検知ポイントに対する物体の近接状況に応じて物体の動きを検出し、前記照明制御部は、前記モーション検出部によって検出された物体の動きの移動の方向に対応づけられた、前記照明機構部の発光に関する照明動作を特定する照明動作特定部と、前記照明動作特定部による特定結果に基づいて前記発光に関する照明動作を制御する照明動作制御部とを有する。
【００１３】
第２の態様は、第１の態様に係る医療用照明装置であって、前記モーション検出部が一つだけ設けられている。
【００１４】
第３の態様は、第１又は第２の態様に係る医療用照明装置であって、前記照明制御部は、前記モーション検出部によって検出された物体の動きに基づいて、前記光源の点灯動作及び消灯動作に加えて、前記光源の光量調整動作及び照射モードの切替動作のうちの少なくとも一つの動作を含む動作制御を行う。
【００１５】
第４の態様は、第１〜第３のいずれか一つの態様に係る医療用照明装置であって、前記照明制御部は、物体の動きパターンと前記照明機構部の照明動作とを対応づけた照明動作判別用データを記憶した記憶部、をさらに備え、前記照明動作特定部は、前記モーション検出部によって検出された物体の動きと前記照明動作判別用データとに基づいて、前記照明機構部の照明動作を特定する。
【００１８】
第５の態様は、第１〜第４のいずれか一つの態様に係る医療用照明装置であって、前記モーション検出部は、赤外線近接センサ、超音波センサ、静電容量型近接センサのうちの一種で構成されている。
【００２０】
第６の態様は、第１〜第５のいずれか一つの態様に係る医療用照明装置であって、前記照明制御部は、前記モーション検出部によって検出された物体の動きに基づいて、多段階で前記光源の光量調整動作を制御する。
【００２１】
第７の態様は、第１〜第６のいずれか一つの態様に係る医療用照明装置であって、前記照明制御部は、前記モーション検出部によって検出された物体の動きに基づいて、前記照明機構部を、通常照射モードと光重合材料の使用に適したレジンモードとに切替制御する。
【００２２】
第８の態様は、第１〜第７のいずれか一つの態様に係る医療用照明装置であって、前記光源と前記鏡体とが照明モジュールとして一体化され、前記照明モジュールが前記筐体に対して着脱交換可能に構成されている。
【００２３】
第９の態様は、第１〜第８のいずれか一つの態様に係る医療用照明装置であって、照明対象を撮像可能な撮像装置をさらに備える。
【００２４】
第１０の態様に係る医療用診断装置は、患者を支える椅子と、第１〜第９のいずれか一つの態様に係る医療用聡明装置とを備える。
【発明の効果】
【００２５】
第１の態様によると、モーション検出部によって検出された物体の動きに基づいて、前記照明機構部の発光に関する照明動作を制御するため、発光に関する照明を制御するための多様な指示を受付けることができるだけでなく、発光に関する照明を制御するための指示を短時間で行うことができる。
また、前記モーション検出部は、少なくとも二次元以上の物体の動きを検出するため、多様な指示を受付けることができる。
また、前記モーション検出部は、複数の検知ポイントに対する物体の近接状況に応じて物体の動きを検出するため、各種照明動作制御を行える程度の複雑な物体の動き検出を行いつつ、モーション検出部自体及びその後の信号処理構成等を簡素化、低コスト化することが可能となる。
【００２６】
第２の態様によると、単一のモーション検出部によって検出された物体の動きによって、照明機構部の照明動作を制御することができる。
【００２７】
第３の態様によると、光源の点灯及び消灯に加えて、前記光源の光量調整、照射モードの切替動作等を指示することができる。
【００２８】
第４の態様によると、物体の動きによって非接触で、検出された物体の動きと照明動作判別用データとに基づいて照明を制御するための多様な指示のうちの一つを特定して照明機構部を制御することができる。
【００３１】
第５の態様によると、前記モーション検出部は、赤外線近接センサ、超音波センサ、静電容量型近接センサのうちの一種で構成されているため、モーション検出部自体及びその後の信号処理構成等が簡素化、軽量化、低コスト化される。
【００３３】
第６の態様によると、光源の光量を多段階で調整することができる。
【００３４】
第７の態様によると、物体の動きによって非接触で、通常照射モードとレジンモードとに切替制御することができる。
【００３５】
第８の態様によると、前記光源と前記鏡体とを一体として容易に交換できる。
【００３６】
第９の態様によると、照明対象を撮像することができる。
【００３７】
第１０の態様によると、モーション検出部によって検出された物体の動きに基づいて、多様な照明動作指示を受付けることが可能な医療用診断装置を提供できる。
【図面の簡単な説明】
【００３８】
【図１】実施形態に係る医療用診断装置の全体構成を示す概略斜視図である。
【図２】医療用照明装置を示す斜視図である。
【図３】医療用照明装置の内部構造を示す斜視図である。
【図４】モーション検出部及び照明制御部を示すブロック図である。
【図５】モーション検出部を概念的に示す図である。
【図６】照明動作判別用データの一例を示す図である。
【図７】照明動作制御部としての処理を示すフローチャートである。
【図８】照明動作判別用データの他の例を示す図である。
【図９】照明動作制御部としての他の処理を示すフローチャートである。
【図１０】照明動作判別用データの他の例を示す図である。
【図１１】照明動作判別用データの他の例を示す図である。
【図１２】モーション検出部の他の例を示す図である。
【図１３】モーション検出部として撮像装置を用いた場合のブロック図である。
【図１４】照明対象撮像用の撮像装置を設けた例を示す斜視図である。
【図１５】照明モジュールを交換可能にする構成を示す説明図である。
【図１６】照明モジュールを交換可能にする構成を示す説明図である。
【発明を実施するための形態】
【００３９】
以下、実施形態に係る医療用照明装置及び医療用診断装置について説明する。
【００４０】
＜医療用診断装置の全体構成＞
図１は医療用診断装置１０の全体構成を示す概略斜視図である。
【００４１】
この医療用診断装置１０は、椅子１２と、医療用照明装置２０とを備えている。ここでは、本医療用診断装置１０が歯科医療用に用いられるものとして説明するが、医療用照明装置及び医療用診断装置自体は歯科医療用に限られず、各種医療用に用いることができる。
【００４２】
椅子１２は患者を支持可能に構成されている。ここでは、椅子１２は、フットコントローラ１３等への操作に応じて、患者を着座姿勢と仰向け姿勢との間で姿勢変更可能かつ昇降可能に支持するように構成されている。
【００４３】
この椅子１２に隣設して、うがい用スピットン１４及びトレーテーブル１９が設けられ、トレーテーブル１９には表示装置１５が設けられている。表示装置１５は、液晶表示装置或はＣＲＴ（Cathode Ray Tube）ディスプレイ装置等で構成されており、別途撮影されたＸ線画像或は別の撮影装置により撮影された患部画像等、診断に用いられる各種情報を表示可能に構成されている。また、これらのうがい用スピットン１４、及び表示装置１５を備えるトレーテーブル１９等に、診療器具ホルダ部１６が設けられており、診療に用いられる各種器具（例えば、歯科用インスツルメント等）が当該診療器具ホルダ部１６に支持されるようになっている。
【００４４】
また、この医療用診断装置１０は、可動アーム部１８を備えている。ここでは、可動アーム部１８は、うがい用スピットン１４に支持固定されている。もっとも、可動アーム部１８は、その他の部分、例えば、椅子１２等に支持固定されていてもよい。また、可動アーム部１８は、専用の固定部材によって支持固定されていてもよい。専用の固定部材としては、床上に立設された専用スタンド、或は、天井或は壁等への取付ブラケット等が想定される。
【００４５】
可動アーム部１８は、曲げ可能なリンク機構等を含む構成によって、曲げ可能でかつ曲げられた一定姿勢で維持可能に構成されている。この可動アーム部１８の先端部に、医療用照明装置２０が取付固定されており、可動アーム部１８を適宜曲げることによって、医療用照明装置２０の位置及び姿勢を調整できるようになっている。そして、医療用照明装置２０の位置及び姿勢を調整することによって、医療用照明装置２０からの照明光を、椅子１２上の患者の患部である口腔内に対して各種方向から照射できるようになっている。これにより、利用者は、医療用照明装置２０を手で持って支持しなくても、当該医療用照明装置２０を一定姿勢及び一定位置に配設した状態で、各種医療作業を行うことができる。
【００４６】
＜医療用照明装置の全体構成＞
医療用照明装置２０について説明する。図２は医療用照明装置２０を示す斜視図であり、図３は医療用照明装置２０の内部構造を示す斜視図である。なお、図２では医療用照明装置２０に対して諸指示を与える手のモーション例を示している。
【００４７】
この医療用照明装置２０は、照明機構部２２と、モーション検出部４０と、照明制御部５０とを備えている。そして、利用者による照明に関する諸指示がモーション検出部４０によって受付けられ、モーション検出部４０によって受付けられた指示に応じて照明制御部５０が照明機構部２２の照明動作を制御するようになっている。
【００４８】
より具体的に説明すると、照明機構部２２は、筐体２３と、照明モジュール３０とを備えている。
【００４９】
筐体２３は、一方側（正面側）に開口する筺状に形成されている。筐体２３の背面側に、上記可動アーム部１８の先端部が連結固定されることで、本医療用照明装置２０が一定姿勢及び一定位置に配設した状態で支持される。
【００５０】
また、筐体２３には、取っ手部２４が設けられている。ここでは、筐体２３の両側部に取っ手部２４が設けられている。利用者は、本取っ手部２４を持って操作することにより、本医療用照明装置２０の位置及び姿勢を調整できるようになっている。
【００５１】
また、筐体２３の一方側開口に、取付枠体２６が一体的に取付固定されている。取付枠体２６には、ネジ挿通孔２６ｈが形成されている。ここでは、一対の取付枠体２６のそれぞれに２つのネジ挿通孔２６ｈが形成されている。取付枠体２６は、筐体２３に対して一体形成された部分であっても、筐体２３とは別体形成され、後から、ネジ止或は嵌め込み構造等で一体化された構成であってもよい。そして、ネジＳをネジ挿通孔２６ｈに挿通して照明モジュール３０に螺合させることにより、４箇所のネジ止構造によって、照明モジュール３０が筐体２３に着脱可能に取付けられる構成とされている。照明モジュールを筐体に対して着脱可能とする構成としては、ネジ止以外に、各種嵌め込み構造、弾性片の端部に設けられた突起部が相手側に係脱可能にロックする構成等、種々の着脱可能な構成を採用することができる。
【００５２】
照明モジュール３０は、光源３２と鏡体３４とが一体化された構成とされている。
【００５３】
光源３２は、照明光の発生源であり、ここでは、光源３２としてＬＥＤ（Light Emitting Diode）が用いられている。もっとも、光源としては、ＬＥＤの他、ハロゲンランプ等の各種光源を用いることができる。
【００５４】
光源３２としては、異なる波長領域分布を持つ光を照射可能な複数種類のＬＥＤ等が組合わされ、発光されるＬＥＤの種類を切替えることで、異なる波長分布の光を照射可能な構成とされていることが好ましい。ここでは、光源３２として、通常光照射用のＬＥＤと、レジンモード用のＬＥＤとを含んでいる。通常光照射用のＬＥＤは、比較的多様な波長の可視光線が含まれた白色光を発する光源であり、患部の一般的な目視診療に適した光を発する。レジンモード用のＬＥＤは、診療に用いられる光硬化性の樹脂を硬化させる波長領域（例えば、４６０μｍ〜４７０μｍ）をカットした光を発する光源であり、前記光硬化性の樹脂を用いた診療に適した光を発する。そして、通常光照射用のＬＥＤとレジンモード用のＬＥＤとの発光を切替えることで、通常光の照射モードと光硬化性の樹脂を硬化させにくいレジンモードとに切替えて照射できるようになっている。
【００５５】
もっとも、照明モジュールからの光の波長領域分布の切替は、光源自体の切替による他、別途設けた光学フィルターの切替等によって実現してもよいし、フルカラーＬＥＤのように、複数の発光素子を制御によって組み合わせたり、各発光素子の発光強度を制御によってそれぞれ調整したりすることで、照明光の波長を調節し、所望の波長領域分布を持つ光への切替を実現してもよい。
【００５６】
鏡体３４は、上記光源３２からの光を反射して所定の照射方向に向けて照射可能に構成されている。より具体的には、鏡体３４は、筐体２３内に配設可能な筺状に形成されており、その内面が光反射面に形成されている。また、この鏡体３４の底部及び天井部のそれぞれの２箇所に光源３２が取付けられている（図３で底部側の光源３２のみ図示）。そして、光源３２からの光が光反射面によって反射され、鏡体３４の一方側開口及び筐体２３の一方側開口を通って外部に照射されるようになっている。
【００５７】
なお、ここでは、上記照明モジュール３０は、光源３２からの光を、複数方向から照射野に照射する無影灯として構成されている。
【００５８】
また、上記筐体２３の一方側開口には、カバー２８が取付けられている。カバー２８は、光源３２からの光を透過可能なカバーであり、筐体２３の一方側開口全体を閉塞可能な大きさを有している。そして、本カバー２８が筐体２３の一方側開口を覆うことで筐体２３内を保護する役割を有している。また、カバー２８は、ネジ止構造或は嵌め込み構造等により、筐体２３の一方側開口に対して着脱可能に取付けられるようになっている。
【００５９】
なお、このカバー２８に、特定波長範囲の光だけを透過或は透過しない光学フィルターの性質を持たせることで、本医療用照明装置２０による照明光の波長を調整することができる。カバー２８に光学フィルターの性質を付与するためには、カバー２８自体を、そのような光学フィルターとしての性質を持った材料で形成する構成、或は、光学フィルターフィルムを貼着ける構成等を採用することができる。
【００６０】
上記筐体２３には、モーション検出部４０及び照明制御部５０が設けられている。ここでは、筐体２３の下面略中央部に、円柱を縦割にしたような形状の突出部２５が形成されている。モーション検出部４０は、その検出面を外部正面に向けた姿勢で、突出部２５の一主面（正面）に取付けられている。そして、物体、より具体的には、利用者の手指Ｆがモーション検出部４０の前方を動くと（矢符号Ｘ、Ｙ、Ｚ、Ｒ参照）、その動きがモーション検出部４０によって検出されるようになっている。また、照明制御部５０は、突出部２５内に組込まれている。そして、照明制御部５０は、モーション検出部４０によって検出された物体の動きに基づいて照明機構部２２の照明動作を制御する構成とされている。
【００６１】
もっとも、モーション検出部４０及び照明制御部５０の配設位置は、上記例に限られない。モーション検出部４０及び照明制御部５０は、筐体２３の上部或は側部、その他、可動アーム部１８、医療用診断装置１０のいずれかの部位等に設けられていてもよい。
【００６２】
＜モーション検出部及び照明制御部＞
上記モーション検出部４０及び照明制御部５０についてより具体的に説明する。図４はモーション検出部４０及び照明制御部５０を示すブロック図であり、図５はモーション検出部４０を概念的に示す図である。
【００６３】
モーション検出部４０は、非接触で物体の動きを検出し、検出した動きに応じた信号を出力可能に構成されている。この実施形態では、モーション検出部４０は一つだけ設けられている。ここで、モーション検出部４０が一つとは、内部構成部品の数に拘らず、本医療用照明装置２０の組立作業段階等において一つの部品として把握されるように、１部品化或は１モジュール化されていることをいう（図５参照）。
【００６４】
ここでは、モーション検出部４０は、複数の検知ポイント４２（１）、４２（２）、４２（３）に対する物体の近接状況に応じて物体の動きを検出可能に構成されている。より具体的には、本モーション検出部４０は、発光部４１ａと受光部４１ｂとを複数組（ここでは３つ）有しており、それぞれの配置位置が検知ポイント４２（１）、４２（２）、４２（３）として把握される。ここでは、２次元方向の物体の動きを検出できるように、検知ポイント４２（１）、４２（２）、４２（３）は、正面視略矩形状領域のうち３つのコーナー部分に、即ち、三角形の頂点に対応する位置に設けられている（図５参照）。
【００６５】
このモーション検出部４０では、発光部４１ａと受光部４１ｂとの各組において、自己の発光部４１ａから照射された光が物体によって反射され対応する受光部４１ｂにおいて受光されると、物体の近接検知信号が出力される。そして、複数（ここでは３つ）の受光部４１ｂそれぞれからの近接検知信号が、物体の動きを検出した信号として出力される。
【００６６】
例えば、図５において、モーション検出部４０の前方を、物体が下方から上方に移動したとする（矢符Ａ参照）。すると、下側の検知ポイント４２（３）において物体の近接が検出された後、上側の検知ポイント４２（１）、４２（２）において物体の近接が検出される。また、例えば、モーション検出部４０の前方を、物体が左方から右方に移動したとする（矢符Ｂ参照）。すると、左側の検知ポイント４２（１）において物体の近接が検出された後、右側の検知ポイント４２（２）、４２（３）において物体の近接が検出される。同様に、物体がモーション検出部４０の前方を斜めに移動した場合、或は、物体がモーション検出部４０の前方周りを時計回り或は反時計回りした場合にも、その動きに応じて検知ポイント４２（１）、４２（２）、４２（３）が物体の近接を検出するタイミング（或は順）が異なると想定される。そこで、各検知ポイント４２（１）、４２（２）、４２（３）における近接検出状態の経時的な変化に基づいて、物体の動きを検出できる。
【００６７】
本実施形態においては、モーション検出部４０から複数の検知ポイント４２（１）、４２（２）、４２（３）に対する物体の近接の有無を示す信号が出力され、当該信号の経時的な変化に基づいてモーション検出部４０の検出面に対して略平行な面における物体の２次元的な動きを判別できることを想定して説明する。
【００６８】
さらに、上記モーション検出部４０から受光部４１ｂの受光強度を示す信号を出力することで、当該信号に基づいて物体がモーション検出部４０に近づいているかを判別することもできる。すなわち、受光部４１ｂの受光強度が大きくなるように変化している場合には物体が近づきつつあると判定することができ、受光部４１ｂの受光強度が小さくなるように変化している場合には物体が遠ざかりつつあると判定することができる。なお、受光部４１ｂの受光強度は、複数の受光部４１ｂの平均値或は総和であってもよいし、或は、代表値であってもよい。
【００６９】
本実施形態においては、必要に応じて、モーション検出部４０から前記受光強度を示す信号が出力され、その信号の経時的な変化に基づいて、モーション検出部４０の検出面に対する物体の遠近移動を判別できることを想定して説明する。もっとも、モーション検出部４０の検出面に対する物体の遠近移動を判別できることは必須ではない。
【００７０】
なお、上記発光部４１ａと受光部４１ｂとを組合わせたものとしては、赤外線ＬＥＤ等の発光素子と赤外線を受光して電気信号に変換する受光素子とを有する赤外線近接センサを用いることができる。
【００７１】
もっとも、複数の検知ポイント４２（１）、４２（２）、４２（３）のそれぞれに、発光素子と受光素子とが存在する必要はない。
【００７２】
例えば、発光素子が一つだけ設けられ、受光素子は複数の検知ポイントのそれぞれに設けられていてもよい。また、逆に、発光素子が複数の検知ポイントのそれぞれに設けられ、受光素子が一つだけ設けられていてもよい。後者の場合、複数の発光素子を時分割して発光駆動させ、単一の受光素子から複数の検知ポイントにおける近接状況を示す信号が時分割多重化された信号として出力されるようにするとよい。複数の検知ポイントにおける近接状況を示す信号が時分割多重化された信号は、本モーション検出部４０において複数の検知ポイントにおける近接状況を示す信号として分けられてもよいし、或は、照明制御部５０において分けられてもよい。このような形態も、モーション検出部が赤外線近接センサによって構成されている場合に含まれる。つまり、検知ポイントとは、光等の検出媒体の発信位置或は受信位置であるかに拘らず、物体の近接状況を検出する基準となる位置をいう。
【００７３】
また、モーション検出部は、上記の他、複数の超音波センサ、或は、複数の静電容量型近接センサによって構成されていてもよい。これらの場合でも、複数の超音波センサ、或は、複数の静電容量型近接センサが、複数の検知ポイントに対応して設けられ、それぞれの検知ポイントにおいて物体の近接状況を検知することで、上記と同様に、物体の動きを検出することが可能となる。
【００７４】
照明制御部５０は、モーション検出部４０によって検出された物体の動きに基づいて、照明機構部２２の照明動作を制御するように構成されている。より具体的には、照明制御部５０は、マイクロプロセッサの一種であるＣＰＵ５２と、記憶部５４と、照明動作特定部５６とを備えており、これらは信号線を介してデータ送受可能に接続されている。
【００７５】
ＣＰＵ５２は、記憶部５４からプログラムを読込み、当該プログラムに記述された指示に従って処理を実行することで、照明動作を制御する照明動作制御部としての処理を実行する。
【００７６】
記憶部５４は、上記ＣＰＵと結合された主記憶部と、補助記憶部とを有している。主記憶部は、ＲＡＭ（Random Access Memory）等によって構成され、ＣＰＵ５２が諸処理を実行するための作業領域を提供する。補助記憶部は、フラッシュメモリ、ＥＰＲＯＭ(Erasable Programmable ROM)、ハードディスク装置等の非一時的な記憶装置によって構成されている。補助記憶部には、ＣＰＵ等に対する指示を記述したプログラム、照明動作判別用データ等が格納されている。
【００７７】
照明動作特定部５６は、プロセッサ等により構成されており、プログラムに記述された指示に従って処理を実行することで、照明動作を特定する処理を実行する。本照明動作特定部５６のためのプログラムは、上記記憶部５４に格納されていてもよいし、本照明動作特定部５６専用の記憶部に格納されていてもよいし、外部の機器に格納されたプログラムと照明制御部５０とが通信することで照明動作を特定する処理を実行できる構成であってもよい。
【００７８】
もっとも、本照明制御部５０の各処理機能は、物理的に一つのプロセッサにより実現されてもよいし、或は、物理的により多数のプロセッサに分散処理して実現されてもよい。また、照明制御部５０の一部又は全部の機能がハードウェアで実現されてもよい。さらには、照明制御部５０自体が一つのコンピュータ装置によって構成されている必要はなく、複数のコンピュータ装置によって実現されていてもよい。
【００７９】
なお、上記ＣＰＵ５２は、入出力回路を通じて光源駆動制御部６０に接続されている。光源駆動制御部６０は、オンオフ回路６０ａと、調光回路６０ｂと、モード切替回路６０ｂとを有している。光源駆動制御部６０は、筐体２３及び照明モジュール３０のいずれに設けられていてもよい。オンオフ回路６０ａは、光源３２に対する電源回路をオンオフ等することで、光源３２を点灯及び消灯する回路である。調光回路６０ｂは、インバータ回路等により電源に対する電力供給量を調整すること等で、光源３２の照度を調整する回路である。モード切替回路６０ｃは、光源３２のうち発光させるべきＬＥＤの種類、数等を適宜切替等することで、光源３２の照射モードを切替えるための回路である。つまり、複数の照射モードは、光の波長分布、照度のうち少なくとも一つが異なることで区別される。ここでは、必要に応じて、モード切替回路６０ｃが、光源３２を、通常光の照射モードとレジンモードと待機モードとに切替える例で説明する。通常光の照射モードは、上記した通り、比較的多様な波長の可視光線が含まれた白色光を発するモードであり、患部の観察に適しているため、治療モードとも呼ばれる。レジンモードは、上記した通り、光硬化性の樹脂を硬化させにくい波長分布の光を発するモードであり、光硬化性樹脂の取扱中等に用いられるモードである。待機モードは、治療中に患者の歯型などを採る場合等、患者側の治療待機時等において、照度を低減させたり暖色の照明光に切替たりして患者をリラックスさせるような光を発するモードである。この場合の照度の低減は、調光回路６０ｂの調光機能によって実現されてもよい。
【００８０】
そして、ＣＰＵ５２から光源駆動制御部６０にいずれかの照明動作を行うべき指令が与えられると、当該指令に従って光源駆動制御部６０が光源３２の照明動作を駆動制御する構成とされている。
【００８１】
上記照明動作特定部５６が実行する処理及びＣＰＵ５２が照明動作制御部として実行する処理についてより具体的に説明する。
【００８２】
ここで、図６を参照して記憶部５４に格納された照明動作判別用データの一例について説明しておく。この照明動作判別用データは、物体の動きパターンと照明動作とが対応づけられている。動きパターンは、モーション検出部４０からの出力信号によって判別可能な動きであり、ここでは、”下から上へ”、”上から下へ”、”左から右へ”、”右から左へ”の４つの動きパターンを想定している。これらの動きパターンは、例えば、上記したように各検知ポイント４２（１）、４２（２）、４２（３）における近接検出状態の経時的な変化（各出力信号の時間軸方向の差分）に基づいて判別できる。
【００８３】
また、照明動作は、照明機構部２２に対して制御可能な照明状態である。ここでは、照明動作として、点灯動作、消灯動作に加えて、調光切替（照度上昇）、調光切替（照度低減）、つまり、光量調整動作を想定している。
【００８４】
図６に示す照明動作判別用データでは、”下から上へ”、”上から下へ”、”左から右へ”、”右から左へ”の４つの動きパターンが点灯動作、消灯動作、調光切替（照度上昇）、調光切替（照度低減）のそれぞれに対応づけられている。
【００８５】
照明動作特定部５６は、モーション検出部４０からの出力信号に基づいて動きパターンを判別し、上記照明動作判別用データを参照して、当該判別された動きパターンに対応する照明動作を特定する。そして、照明動作特定部５６は、特定された照明動作をＣＰＵ５２に与える。
【００８６】
ＣＰＵ５２は、上記照明動作特定部５６による特定結果に基づいて照明機構部２２の照明動作を制御する処理を実行する。図７はＣＰＵ５２が実行する照明動作制御部としての処理を示すフローチャートである。
【００８７】
まず、初期状態において、ステップＳ１に示すように、ＣＰＵ５２は照明機構部２２を消灯状態とする（或は消灯状態から処理を開始する）。
【００８８】
次ステップＳ２において、ＣＰＵ５２は、照明動作特定部５６によって特定された照明動作が点灯動作であるか否かを判別する。判別結果、点灯動作でないと判別された場合は、ステップＳ１に戻り、消灯状態を継続する。一方、点灯動作であると判別された場合は、ステップＳ３に進む。
【００８９】
ステップＳ３では、ＣＰＵ５２は、光源駆動制御部６０に点灯指令を与える。これにより、照明機構部２２が点灯する。なお、点灯初期状態における照明機構部２２の照度及びモードは、利用者により設定可能に構成されていることが好ましい。つまり、利用者毎の点灯初期状態が設定可能であることが好ましい。この場合の入力装置としては、本モーション検出部４０を利用してもよいし、医療用診断装置１０内に設けられたその他のスイッチ等を利用してもよい。また、利用者の切替は、利用者毎に異なる動きパターンを設定しておき、利用者の動きを判別することで行われてもよいし、或は、他のスイッチ等の入力装置を用いて行われてもよい。
【００９０】
次ステップＳ４では、ＣＰＵ５２は、照明動作特定部５６によって特定された照明動作が調光動作であるか否かを判別する。調光動作であると判別されるとステップＳ７に進む。ステップＳ７では、ＣＰＵ５２は、調光動作が調光切替（照度上昇）である場合には光源駆動制御部６０に照度上昇指令を与え、調光動作が調光切替（照度低減）である場合には光源駆動制御部６０に照度低減指令を与える。これにより、照明機構部２２の照度が上昇或は低減するように調整される。ステップＳ７後、ステップＳ３に戻る。なお、このステップＳ４及びステップＳ７の処理が繰返されることによって、照明装置２０の照度が多段階で調整されることになる。
【００９１】
一方、ステップＳ４において、調光動作ではないと判別されると、ステップＳ５に進む。
【００９２】
ステップＳ５では、ＣＰＵ５２は、照明動作特定部５６によって特定された照明動作が消灯動作であるか否かを判別する。消灯動作でないと判別されると、ステップＳ３に戻る。従って、点灯後は、ステップＳ４、Ｓ５、Ｓ７の処理が繰返し行われる。そして、ステップＳ４及びステップＳ７の処理が複数回繰返されることによって、多段階的な調光調整がなされるようになっている。
【００９３】
一方、ステップＳ５において消灯動作であると判別されると、ＣＰＵ５２は、光源駆動制御部６０に消灯指令を与える。これにより、照明機構部２２が消灯する。これにより、ＣＰＵ５２は、照明動作制御部としての一通りの処理を終了する。
【００９４】
もっとも、制御対象となる照明動作は、上記例に限られない。照明動作は、光源３２の点灯動作及び消灯動作だけであってもよいし、これらの動作に加えて、照射モードの切替動作を行う場合、若しくは、光源３２の光量調整動作及び照射モードの切替動作を行う場合であってもよい。照明動作として、光源３２の点灯動作及び消灯動作に加えて、光源３２の光量調整動作及び照射モードの切替動作を行う場合について説明する。
【００９５】
図８は照明動作判別用データの他の例を示す図である。ここでは、動きパターンとして、“左から右へ”、”右から左へ”、“遠方から近づく”、“近くから遠ざかる”、“時計回り”、“反時計回り”の６つを想定している。つまり、３次元的な動きパターンが想定されている。また、照明動作として、点灯動作、消灯動作に加えて、調光切替（照度上昇）、調光切替（照度低減）、モード切替（正順）、モード切替（逆順）を想定しており、それぞれ上記動きパターンに対応づけられている。ここで、モードとしては、照射モードとレジンモードと待機モードとを想定している。モード切替（正順）はモードを前記記述順で循環的に切替える動作であり、例えば、モード切替（逆順）とはモードを前記記述順とは逆順で循環的に切替えるモードである。３つ以上のモードがある場合には、このようにモードを循環的に切替えることで、より少ない動きでもモード切替を実行できる。
【００９６】
図９はＣＰＵ５２が実行する照明動作制御部としての他の処理を示すフローチャートである。図９に示すフローチャートは、図７に示すフローチャートと比較して、ステップＳ１１、ステップＳ１２が追加されている点で異なっている。本例では動きパターンの内容が異なるだけであるため、点灯、消灯及び調光に係る各処理は、図７に示す処理と同様である。
【００９７】
すなわち、図９に示すフローチャートでは、ステップＳ４において調光動作でないと判別されたときに、ステップＳ１１に進み、切替動作であるか否かを判別する。切替動作であると判別されるとステップＳ１２に進む。なお、点灯初期状態では、先頭のモード（つまり、通常の照射モード）である。
【００９８】
ステップＳ１２では、ＣＰＵ５２は、モード切替がモード切替（正順）である場合には光源駆動制御部６０に正順によるモード切替指令を与え、モード切替がモード切替（逆順）である場合には光源駆動制御部６０に逆順によるモード切替指令を与える。これにより、光源駆動制御部６０は上記モードの切替順に従って照明機構部２２のモードを切替えるように駆動制御する。なお、ＣＰＵ５２において照明機構部２２の現状のモードを特定し、その現状のモード及び特定されたモード切替（正順）或はモード切替（逆順）に従って、次に切替えるべきモードを光源駆動制御部６０に指令してもよい。ステップＳ１２の終了後、ステップＳ３に戻る。
【００９９】
一方、ステップＳ１１においてモードの切替動作でないと判別されると、ステップＳ５に進む。
【０１００】
なお、図９に示すフローチャートにおいては、レジンモード及び待機モードのいずれにおいても、さらに照度調整を行えるようになっているが、レジンモード及び待機モードでは照度調整を行えないようにしてもよい。
【０１０１】
また、照度調整後にモード切替を行う場合、モード切替後の照度は、直前の操作で調整された照度に対応する照度であってもよいし、各モード毎に予め設定された初期の照度であってもよい。
【０１０２】
なお、物体の動きパターンと照明動作との対応付及びその対応付に基づく照明動作の制御処理例は上記例に限られない。
【０１０３】
例えば、図１０に示す照明動作判別用データでは、図６に示す照明動作判別用データにおいて、“下から上へ”の動きパターンに、点灯動作とモード切替動作とが対応づけられている。この場合、図９に示すフローチャートにおいて、ステップＳ２（つまり、消灯状態の判別処理）で、点灯動作／モード切替動作の照明動作であると判別されると、ステップＳ３に進み点灯を行う。また、ステップＳ１１（つまり、点灯状態の判別処理）で、点灯動作／モード切替動作の照明動作であると判別されると、ステップＳ１２に進みモード切替を行う。つまり、点灯動作に係る指示は消灯状態で行われ、モード切替動作に係る指示は点灯状態で行われ、両指示は排他的なタイミングでなされる。そこで、点灯動作とモード切替動作とを、共通する動きパターン（ここでは“下から上へ”の動きパターン）に対応づけている。
【０１０４】
また、図１１に示す照明動作判別用データでは、動きパターンとして、“左から右へ”、”下から上へ移動後、左から右へ“、”下から上へ移動後、右から左へ“、”下から上へ“、”上から下へ“の５つを想定している。また、照明動作として、点灯及び消灯動作、調光切替（照度上昇）、調光切替（照度低減）、解除、モード切替を想定しており、それぞれ上記５つの動きパターンに対応づけられている。なお、解除の動作とは、調光調整或はモード切替後に、点灯初期状態に戻すための動作である。また、モード切替の動作とは、上記モード切替（正順）動作を想定している。
【０１０５】
この場合、図９に示すフローチャートにおいて、ステップＳ２（つまり、消灯状態の判別処理）で、点灯／消灯の照明動作であると判別されると、ステップＳ３に進み点灯を行う。また、ステップＳ５（つまり、点灯状態の判別処理）で、点灯／消灯の照明動作であると判別されると、ステップＳ６に進み消灯する。つまり、この場合も、点灯動作に係る指示は消灯状態で行われ、消灯動作に係る指示は点灯状態で行われ、両指示は排他的なタイミングでなされる。そこで、点灯動作と消灯動作とを、共通する動きパターン（ここでは“左から右へ”の動きパターン）に対応づけている。
【０１０６】
また、図６に示すフローチャートにおいて、ステップＳ３とステップＳ４との間、ステップＳ４とステップＳ１１との間、ステップＳ１１とステップＳ５との間のいずれか等において、解除であるか否かを判別するステップを行うとよい。そして、解除動作であると判別されると、点灯初期状態に戻すようにＣＰＵ５２から光源駆動制御部６０に指令を与えて照明機構部２２を点灯初期状態に戻し、解除動作でないと判別されると次ステップに進むとよい。
【０１０７】
なお、動きパターンとしては、上記に限られるものではなく、他にも、モーション検出部によって何らかの動きが検出できる動きであればよい。例えば、その他の動きパターンとして、上記動きパターンの繰返し（例えば、“下から上へ”の複数回繰返し）、斜め方向の動き、○或は×等の図形的な動き、手のひらを開いた状態と握った状態との間で開閉する動き、手の甲或は手の平をモーション検出部側を向けるように手のひらを返す動き等であってもよい。つまり、モーション検出部によって区別して検出可能な動きであればよい。
【０１０８】
また、右手で指示する場合と、左手で指示する場合とで、上記した動きパターンの左右及び回転方向が逆に設定されてもよい。右手用と左手用との切替は、本モーション検出部４０により検出された動き或は別途設けたスイッチ等で行われてもよい。
【０１０９】
つまり、通常、利用者は利手で治療用のハンドピース等を把持しているところ、把持するハンドピースに接続されるチューブの長さにより利き手の可動範囲が制限されることがある。また、ハンドピースを把持したままで利手を大きく動かすと、患者の上方にハンドピースがかざされ、患者に恐怖感を与えてしまう恐れがある。これらの支障を回避するためには、ハンドピースを一端ホルダ等に収容する必要があり、煩わしい。そこで、診療中、利き手と逆の手でも照明動作を制御できるように、右手用と左手用との切替えを行えるようにしておくことが好ましい。
【０１１０】
以上のように構成された医療用照明装置２０によると、本医療用照明装置２０の利用者が、モーション検出部４０の前方で、手指Ｆ等を上記動きパターンのいずれかに従って動かすと、その動きがモーション検出部４０で検出される。そして、モーション検出部４０の検出結果に基づき、照明動作特定部５６で照明動作が特定され、その特定結果がＣＰＵ５２に与えられる。そして、ＣＰＵ５２は、その特定結果に基づいて照明機構部２２の照明動作を制御する。これにより、利用者の手指Ｆ等の動きに応じて、照明機構部２２の点灯、消灯、照度調整、モード切替等を制御できる。
【０１１１】
このため、非接触で照明機構部２２の照明動作を制御でき、衛生的な照明装置を提供できる。
【０１１２】
しかも、利用者の手指Ｆ等の多様な動きによって、照明機構部２２の照明動作を制御するための多様な指示を受付けて、照明動作を制御することができる。つまり、本医療用照明装置２０は、単に近接センサのオンオフによって照明をオンオフするのではなく、モーション検出部４０によって少なくとも二次元以上の物体の動きを検出し、その動きに応じて多様な指示を受付けて照明制御している。ここでは、照明機構部２２の点灯及び消灯に加えて、光源の光量調整、照射モードの切替等の多様な指示を受付けて制御できる。このため、多様な指示を受付けて照明制御することができ、より使い勝手のよい照明装置を提供することができる。
【０１１３】
また、物体の動きによって照明動作を指示することができるため、その多様な指示を短時間で行える。例えば、入力手段として光センサ等を用い、当該光センサの検知光が遮光される時間の長さによって照明動作を制御する場合と比べると、比較的短時間で各種照明動作を区別して受付けることができる。
【０１１４】
また、モーション検出部４０が組立作業段階等において一つの部品として把握されるように、１部品化或は１モジュール化されたものを用いることで、その組付及びメンテナンス作業等が容易となる。もっとも、モーション検出部４０が一つの部品であることは必須ではない。図１２に示すように、モーション検出部４０に対応するモーション検出部１４０が複数（ここでは３つ）の発光部１４２と一つの受光部１４３とを有しており、各発光部１４２及び受光部１４３が筐体２３の前面に分離して設けられていてもよい。より具体的には、複数の発光部１４２が筐体２３の下部一端部（右部）、上部の左右部分に分離して設けられている。また、受光部１４３が筐体２３の下部中央部に設けられている。そして、複数の発光素子を時分割して発光駆動すると、単一の受光部１４３から複数の検知ポイントにおける近接状況を示す信号が時分割多重化された信号として出力されるようにするとよい。これにより、上記と同様にして、筐体２３の前方における物体の動きを検出できる。
【０１１５】
また、モーション検出部４０は、複数の検知ポイント４２（１）、４２（２）、４２（３）に対する物体の近接状況に応じて物体の動きを検出する。また、モーション検出部４０はそのような近接状況の検出を、赤外線近接センサ、超音波センサ、静電容量型近接センサのうちの少なくとも一つで実現する。このため、多数のセンサを縦横にアレイ状に配設したイメージセンサ等を用いる場合と比べると、モーション検出部４０自体の構成及びその後の信号処理回路、動きパターンの判別アルゴリズム等が簡素化される。このため、照明装置２０の各種照明動作制御を行える程度の複雑な物体の動き検出を行いつつ、本医療用照明装置２０自体の簡素化、軽量化、低コスト化を図ることができる。
【０１１６】
なお、より複雑な物体の動きを検出するためには、少なくとも物体の２次元の動きを検出できることが好ましい。このためには、モーション検出部は、近接の有無を判断できる検知ポイントを少なくとも３つ有していればよい。或は、モーション検出部は、近接の程度（物体に対する距離）を判断できる検知ポイントを少なくとも２つ有していればよい。
【０１１７】
また、本実施形態では、動きに応じてステップＳ４及びＳ７の処理が繰返されることによって、多段階で照明機構部２２の光量調整が行われるため、便利である。どの程度段階的で光量調整を行うかによっては、各ステップＳ７における照度調整の幅によって定められる。各ステップＳ７における照度調整の幅を小さくすれば、各段階間での光量変化が滑らかで実質的には無段階光量調整と把握されるような態様での光量調整も可能となる。
【０１１８】
モーション検出部としてより細かな動き或は位置を検出可能なもの（例えば、後述する撮像素子等）を用い、その移動量或は位置に応じて実質的に無段階と把握されるような態様で光量調整を行うようにしてもよい。例えば、図６において、“左から右へ”の動きによって調光動作（照度上昇）を判別する際、その移動量を検出し、当該移動量に応じて照度調整幅（照度上昇幅）を決定するようにしてもよい。
【０１１９】
また、このような医療用照明装置２０が医療用診断装置１０に組込まれているため、医療中に無接触で多様な照明動作を切替えることができ、便利である。
【０１２０】
また、上記モーション検出部は、カバーによって保護されていることが好ましい。例えば、モーション検出部をカバー２８で覆われる位置に配設するとよい。これにより、簡易な構成でモーション検出部の汚れを防止することができる。
【０１２１】
＜その他の変形例＞
上記実施形態及びその中で適宜言及した変形例は、例示であって、本発明の内容は当該例示の内容に限られない。その他の各種変形例について説明する。
【０１２２】
例えば、モーション検出部として、図１３に示すように、ＣＣＤ（Charge Coupled Device Image Sensor）素子等の撮像素子２４２を含む撮像装置２４０を用いてもよい。この場合、照明動作特定部５６に対応する照明動作特定部２５６は、撮像素子２４２によって撮像された動画に基づいて物体の動きを検出する。動画における物体の動きは、時間軸に沿ったフレーム間差分に基づく手法、時間軸に沿った各フレームにおいて手指Ｆ等を表す検出対象画像の位置をパターンマッチング等によって認識する手法等により判別することができる。物体の動きを認識する処理機能部分は、撮像装置２４０に組込まれていてもよいし、照明動作特定部２５６に組込まれていてもよい。撮像装置２４０は、ズーム調整可能であってもよく、また、望遠モードと広角モードとの切替が可能であってもよく、さらに、静止画も動画も撮像可能であることが好ましい。なお、図１３において、上記した箇所以外は、図４と同様であるため、ここでは共通部分の説明は省略する。
【０１２３】
また、モーション検出部としては、その他、熱分布を検出し、その熱分布を画像化して時間的に変化する信号として出力可能なサーモグラフィー等を利用することもできる。
【０１２４】
また、好ましくは、モーション検出部は、３次元的な物体の動きを検出できることが好ましく、そのためには、モーション検出部は、例えば、近接の程度（物体に対する距離）を判断できる検知ポイントを少なくとも３つ有しているとよい。このような例として、モーション検出部として、３次元超音波ソナー等を用いてもよい。
【０１２５】
また、図１４に示す例では、筐体２３に、撮像装置３１０が設けられている。ここでは、筐体２３の上部に撮像装置３１０が取付けられている。撮像装置３１０は、医療用照明装置２０による照明方向と略同方向を向いており、医療用照明装置２０による照明対象を撮像可能とされている。撮像装置３１０は、ＣＣＤ素子或はＣＭＯＳ（Complementary Metal Oxide Semiconductor）撮像素子等を含む撮像装置であり、撮像された画像は、表示装置１５等に表示される。
【０１２６】
この撮像装置３１０によって、医療用照明装置２０による照明対象を撮像することが可能となり、より利便性に優れた医療用照明装置２０を提供することができる。
【０１２７】
また、筐体２３には、従来から実施されている形態を適用して、患部を写し出すことが可能なミラーが設けられていてもよい。この場合、ミラーは、患部を映し出すのに適した位置（例えば、カバー２８と重なる位置）と、照明光を阻害しない位置（例えば、カバー２８から待避した位置）との間で位置変更可能に配設されていることが好ましい。
【０１２８】
図１５及び図１６は、照明モジュール３０、４３０を筐体２３に対して着脱交換する例を示す図である。
【０１２９】
すなわち、上記したように、筐体２３に一対の取付枠体２６が取付固定されている。そして、ネジＳを、取付枠体２６のネジ挿通孔２６ｈ（図１５及び図１６参照）に挿通して照明モジュール３０に螺合させることにより、照明モジュール３０が筐体２３に取付固定されている（図３参照）。このため、筐体２３の背面カバーを取外した状態で、ネジＳを緩めれば、図１５に示すように、照明モジュール３０を筐体２３から取外すことができる。
【０１３０】
図１６に示す照明モジュール４３０は、光源４３２と鏡体４３４とを有している。光源４３２は、ハロゲンランプであり、鏡体４３４の略中央部に設けられている。鏡体４３４は、上記鏡体３４と外形同形状に形成され、光源４３２の光を前方に向けて反射可能に構成されている。ネジＳを、取付枠体２６のネジ挿通孔２６ｈに挿通して照明モジュール４３０に螺合させることにより、照明モジュール４３０が筐体２３に取付固定されるようになっている。
【０１３１】
これにより、光源３２、４３２と鏡体３４、４３４とを一体として容易に交換できることになる。
【０１３２】
なお、この場合、光源駆動制御部６０（図４参照）は、照明モジュール３０、４３０用それぞれ別々のものとして、別々に照明モジュール３０、４３０に一体的に組込まれているとよい。そして、照明モジュール３０、４３０を筐体２３に取付ける際に、コネクタ等を介して照明制御部５０に接続される構成としておけばよい。
【０１３３】
なお、上記実施形態及び各変形例で説明した各構成は、相互に矛盾しない限り適宜組合わせることができる。
【符号の説明】
【０１３４】
１０  医療用診断装置
２０  医療用照明装置
２２  照明機構部、
２６  取付枠体
３０、４３０  照明モジュール
３２、４３２  光源
３４、４３４  鏡体
４０、１４０  モーション検出部
２４０  撮像装置
４１ａ  発光部
４１ｂ  受光部
４２  検知ポイント
５０  照明制御部
５２  ＣＰＵ
５４  記憶部
５６、２５６  照明動作特定部
６０  光源駆動制御部
３１０  撮像装置
Ｓ  ネジ
【図１】
0005634735.tif 000002
【図２】
0005634735.tif 000003
【図３】
0005634735.tif 000004
【図４】
0005634735.tif 000005
【図５】
0005634735.tif 000006
【図６】
0005634735.tif 000007
【図７】
0005634735.tif 000008
【図８】
0005634735.tif 000009
【図９】
0005634735.tif 000010
【図１０】
0005634735.tif 000011
【図１１】
0005634735.tif 000012
【図１２】
0005634735.tif 000013
【図１３】
0005634735.tif 000014
【図１４】
0005634735.tif 000015
【図１５】
0005634735.tif 000016
【図１６】
0005634735.tif 000017